(57)【特許請求の範囲】
【請求項１】
内部に液体パックを収納する一対の収納部材からなり、上記液体パックに設けられた供給口に、流体の流路が形成された供給突起を挿入して上記液体パック内の液体を外部に供給させる収納容器において、
上記収納部材には、上記供給口を保持する供給口保持部と、
上記供給口を閉鎖するための弁体を保持する弁体保持部とを有し、
上記弁体は、
上記供給突起を上記供給口に挿入する際に、上記供給突起の上記供給口への挿入を許容可能に開口すると共に、
上記供給突起を上記供給口から抜去する際に、上記供給口からの上記液体の流出を抑制可能に閉鎖し、
上記弁体保持部は、上記一対の収納部材の接合部に上記弁体を挟持することにより固定し、
上記供給口保持部と上記弁体保持部とは、上記供給口保持部を内側にして軸方向に配設されており、
上記供給突起は、上記軸方向から挿入されて、上記弁体および上記供給口を貫通することにより、当該供給口に挿入され、
上記供給口保持部および上記弁体保持部は、上記一対の収納部材の上記接合部に設けられ、当該一対の収納部材が接合することにより、上記弁体保持部および上記供給口保持部それぞれに保持された上記弁体および上記供給口が位置決めされることを特徴とする収納容器。
【請求項２】
液体が貯留された液体パックを収容するためのものであり、上記液体パックの上記液体を外部装置に供給する供給口が形成された壁を有する容器と、当該外部装置とを接続する接続器具であって、
弁部材と、
上記壁の一部に固定する固定部と、を有し、
上記弁部材は弾性体から形成されており、
上記弁部材は、筒状構造を有しており、上記筒状構造の底面が開閉可能に形成され、
上記筒状構造の底面に切込みが形成されることで開閉可能となっており、
開閉可能としている上記切込みによって開口する位置の外側にも切込みが形成されていることを特徴とする接続器具。
【請求項３】
開閉可能としている上記切込みに、上記外部装置が備える、上記供給口に挿入するための挿入部材を挿入したときに起伏する上記弁部材の高さが、上記筒状構造の深さよりも低いことを特徴とする請求項２に記載の接続器具。
【請求項４】
液体が貯留された液体パックを収容するためのものであり、上記液体パックの上記液体を外部装置に供給する供給口が形成された壁を有する容器と、当該外部装置とを接続する接続器具であって、
弁部材と、
上記壁の一部に固定する固定部と、を有し、
上記弁部材は、板バネを有する支持部によって支持されており、
上記支持部に上記固定部が連結されていることを特徴とする接続器具。
【請求項５】
上記容器および上記外部装置には、互いに嵌合する嵌合部が設けられており、
請求項２〜４のいずれか１項に記載の接続器具を取り付けた容器と、上記外部装置とを、接続することを特徴とする接続方法。
【発明の詳細な説明】
【技術分野】
【０００１】
本発明は、液体パックを内部に収容する容器と外部装置とを接続するための接続器具および接続方法に関する。
【背景技術】
【０００２】
一般的にインクジェット記録装置では、インク液を貯留した液体パックを内部に収納した容器がカートリッジ装着部にセットされている。液体パックは、例えば複数の可撓性フィルム状部材を溶着して形成した袋状のパックであり、容器は、この液体パックを保持するホルダとして機能する（特許文献１参照）。
【０００３】
容器には、液体パックのインク液を外部に供給するための供給口が形成されており、当該供給口を介して、液体パックのインク液はインクジェットヘッドに送られて、記録媒体に向けて吐出される。
【先行技術文献】
【特許文献】
【０００４】
【特許文献１】特開２０１１−２２４８７１号公報
【発明の概要】
【発明が解決しようとする課題】
【０００５】
従来の容器では、インクジェット記録装置のカートリッジ装着部が備える挿入部材が、供給口を介して液体パックの液体供給口にまで挿入されることにより、液体パックのインク液をインクジェット記録装置に供給している。しかし、容器の内部で液体パックがずれ、容器の供給口と液体パックの液体供給口とがずれてしまう場合がある。この場合は、挿入部材を液体パックの液体供給口にまでうまく挿入することができない。
【０００６】
そこで、本発明は、上記の課題に鑑みてなされたものであり、その目的は、液体パックと外部装置とを高い精度で接続可能な収納容器、接続器具および接続方法を提供することにある。
【課題を解決するための手段】
【０００７】
上記の課題を解決するために、本発明の一態様に係る収納容器は、内部に液体パックを収納する一対の収納部材からなり、上記液体パックに設けられた供給口に、流体の流路が形成された供給突起を挿入して上記液体パック内の液体を外部に供給させる収納容器において、上記収納部材には、上記供給口を保持する供給口保持部と、上記供給口を閉鎖するための弁体を保持する弁体保持部とを有し、上記弁体は、上記供給突起を上記供給口に挿入する際に、上記供給突起の上記供給口への挿入を許容可能に開口すると共に、上記供給突起を上記供給口から抜去する際に、上記供給口からの上記液体の流出を抑制可能に閉鎖し、上記弁体保持部は、上記一対の収納部材の接合部に上記弁体を挟持することにより固定している。
【０００８】
上記の構成によれば、液体パックと供給突起とを高い精度で接続することができる。また、収納容器に供給突起を挿入する挿入口を直接設けると、収納容器の強度が弱くなってしまう。しかし、本発明に一態様に係る収納容器においては、弁体を保持する弁体保持部が形成されており、当該弁体保持部に保持された弁体を通って、供給突起が挿入されるため、収納容器は高い強度を保つことができる。
【０００９】
また、本発明の一態様に係る収納容器においては、上記供給口保持部と上記弁体保持部とは、上記供給口保持部を内側にして軸方向に配設されており、上記供給突起は、上記軸方向から挿入されて、上記弁体および上記供給口を貫通することにより、当該供給口に挿入され、上記供給口保持部および上記弁体保持部は、上記一対の収納部材の上記接合部に設けられ、当該一対の収納部材が接合することにより、上記弁体保持部および上記供給口保持部それぞれに保持された上記弁体および上記供給口が位置決めされる。
【００１０】
上記の構成によれば、弁体および供給口の位置決めの精度を良好にすることができるため、供給突起を供給口に挿入する際に干渉して（すなわち、弁体に接触して）挿入できないということを防止することができる。
【００１１】
上記の課題を解決するために、本発明の一態様に係る接続器具は、液体が貯留された液体パックを収容するためのものであり、上記液体パックの上記液体を外部装置に供給する供給口が形成された壁を有する容器と、当該外部装置とを接続する接続器具であって、弁部材と、上記壁の一部に固定する固定部と、を有する。
【００１２】
上記の構成によれば、接続器具が容器の壁に固定されるため、容器に対する接続器具の弁部材の相対的な位置が特定される。容器と外部装置との位置合わせを正確に行なえば、外部装置と弁部材との相対的な位置が特定される。外部装置の挿入部材は弁部材を介して液体パックに連通されることから、液体パックと外部装置とを高い精度で接続可能となる。
【００１３】
なお、接続器具は、容器に対して後付けが可能である。すなわち、本発明の一態様に係る接続器具は、既存の容器に対して固定することができる。そのため、接続器具を固定可能な容器を新たに製造する必要がないという利点も有する。
【００１４】
また、本発明の一態様に係る接続器具においては、上記壁は、少なくとも２つの分離壁からなり、上記２つの分離壁のうち、少なくとも一方は辺部に凹部を有しており、上記分離壁の辺部同士を合わせることで、上記凹部が上記供給口として形成されるものであり、記固定部は、上記２つの分離壁のうちいずれかの上記辺部に嵌合するものである。
【００１５】
上記の構成によれば、２つの分離壁のいずれかによって接続器具が固定される。供給口は分離壁を合わせた面上に形成されることから、弁部材と供給口との位置決めを、供給口により近い位置で行なうことができる。よって、液体パックと外部装置との接続を、より高い精度で行なうことができる。
【００１６】
また、本発明の一態様に係る接続器具においては、上記弁部材は弾性体から形成されている。
【００１７】
また、本発明の一態様に係る接続器具は、上記弁部材は、筒状構造を有しており、上記筒状構造の底面が開閉可能に形成されている。
【００１８】
上記の構成によれば、容器に挿入部材を挿入している間は、弁部材の底面を開いた状態にし、容器から挿入部材を挿入していない間は、弁部材の底面を閉じた状態とすることにより、容器から挿入部材を抜いたときに液体パックからのインク漏れを低減することができる。
【００１９】
また、本発明の一態様に係る接続器具においては、上記筒状構造の底面に切込みが形成されることで開閉可能となっている。
【００２０】
上記の構成によれば、容器に挿入部材が挿入されるときに弁部材の底面の切込みに挿入されることにより、切込みが開き底面が開いた状態となり、当該切込みから挿入部材を抜くことにより、切込みが閉じ底面が閉じた状態となる。
【００２１】
また、本発明の一態様に係る接続器具においては、開閉可能としている上記切込みによって開口する位置の外側にも切込みが形成されている。
【００２２】
上記の構成によれば、弁部材の底面において、開口する位置の外側にも切込みを形成することにより、挿入部材を弁部材に挿入した際の開口部分にかかる応力が小さくなる。そのため、挿入部材を弁部材から取り外した後に、弁部材の底面が元の形状（閉じた形状）に戻りやすくなる。すなわち、挿入部材を弁部材に挿入する際の応力により弁部材の底面が開いた形状に変形してしまうことを防ぐことができる。結果、液体パックからのインク漏れをより低減することができる。
【００２３】
また、本発明の一態様に係る接続器具においては、開閉可能としている上記切込みに、上記外部装置が備える、上記供給口に挿入するための挿入部材を挿入したときに起伏する上記弁部材の高さが、上記筒状構造の深さよりも低い。
【００２４】
弁部材の底面に挿入部材を挿入したときに起伏する部分の高さが筒状構造の深さよりも高いと、挿入部材を挿入した際に、起伏した部分の先端が破損してしまう虞がある。そこで、上記の構成によれば、弁部材の破損を防ぐことができる。
【００２５】
また、本発明の一態様に係る接続器具においては、上記弁部材は、弾性形状を有する支持部によって支持されており、上記支持部に上記固定部が連結されている。
【００２６】
弁部材の底面とは反対側の端部に液体パックの液体供給口を配置するとき、弁部材と液体パックの液体供給口との間に隙間が生じている場合がある。しかし、上記の構成によれば、挿入部材が弁部材に挿入される際に、挿入部材が弁部材を液体供給口側に押し上げることにより、支持部の弾性力を利用して弁部材と液体供給口とを密着させることができる。
【００２７】
また、上記容器および上記外部装置には、互いに嵌合する嵌合部が設けられており、上述したいずれかの接続器具を取り付けた容器と、上記外部装置とを、接続する接続方法も本発明の範疇である。
【発明の効果】
【００２８】
本発明によれば、容器とインクジェット記録装置とを高い精度で接続可能である。
【図面の簡単な説明】
【００２９】
【図１】本発明の一実施形態に係るインクジェット記録装置の斜視図である。
【図２】図中の（ａ）は、容器を開いた状態を示す上方斜視図であり、（ｂ）は、容器に液体パックを収容した状態を示す上方斜視図であり、（ｃ）は、容器を閉じた状態を示す下方斜視図である。
【図３】図中の（ａ）が、第１筐体の底面部の上方斜視図であり、（ｂ）が、第１筐体の底面部の下方斜視図である。
【図４】図中の（ａ）は、本発明の一実施形態に係る接続器具の分解斜視図であり、（ｂ）は、本発明の一実施形態に係る接続器具を組み立てた状態を示す斜視図である。
【図５】図中の（ａ）は、本発明の一実施形態に係る接続器具の上方斜視図であり、（ｂ）は、本発明の一実施形態に係る接続器具の下方斜視図である。
【図６】図中の（ａ）は、壁に本発明の一実施形態に係る接続器具を固定した状態の上方斜視図であり、（ｂ）は、壁に本発明の一実施形態に係る接続器具を固定した状態の下方斜視図である。
【図７】図中の（ａ）〜（ｈ）は、容器をカートリッジ装着部に装着するまでの各工程を示す図である。
【図８】図中の（ａ）は、挿入部材を挿入する前の状態を示す断面図であり、（ｂ）は、挿入部材を挿入した後の状態を示す断面図である。
【図９】本発明の一実施形態に係る弁部材の好適な構造例を示す図である。
【図１０】本発明の一実施形態に係る弁部材の底面が弁を有している場合の形状例を示す図である。
【発明を実施するための形態】
【００３０】
以下、本発明の実施の形態について、詳細に説明する。
【００３１】
本実施形態に係るインクジェット記録装置（外部装置）の斜視図を図１に示す。図１に示すように、インクジェット記録装置１には、インクカートリッジ１０がカートリッジ装着部４０に装着できる構成となっている。カートリッジ装着部４０には、複数の容器２０各々が、インク（液体）を貯留した液体パック２２を収容した状態でインクカートリッジ１０として装着されている。本実施形態に係る接続器具は、各容器２０とインクジェット記録装置１のカートリッジ装着部４０とを接続するためのものである。
【００３２】
（容器２０の構成）
以下には、接続器具について説明する前に容器２０の構成について、図２を参照して簡単に説明する。図２中の（ａ）は、容器２０を開いた状態を示す上方斜視図であり、（ｂ）は、容器２０に液体パック２２を収容した状態を示す上方斜視図であり、（ｃ）は、容器２０を閉じた状態を示す下方斜視図である。
【００３３】
図２の（ａ）に示すように、容器２０は、互いに重なり合う第１筐体２４ａおよび第２筐体２４ｂがヒンジ部５０によって回動可能に連結されて構成されている。第１筐体２４ａおよび第２筐体２４ｂが互いに重なり合うことにより、液体パック２２を収容する空間が形成される。
【００３４】
ここで、第１筐体２４ａの底面部の拡大図を図３に示す。なお、底面部とは、カートリッジ装着部４０と接続される面（底面）を有する部分である。図３の（ａ）が、第１筐体２４ａの底面部の上方斜視図であり、（ｂ）が、第１筐体２４ａの底面部の下方斜視図である。図３の（ａ）および（ｂ）に示すように、第１筐体２４ａは、辺部に凹部５５を有する壁２１（分離壁）を底面部に有している。図示していないが、第２筐体２４ｂの底面部の壁２１（分離壁）の辺部には凹部５５は形成されておらず、第１筐体２４ａおよび第２筐体２４ｂが重なり合うことにより、第１筐体２４ａの壁２１の凹部と第２筐体２４ｂの壁２１の辺部とが重なるようになっている。これにより、第１筐体２４ａおよび第２筐体２４ｂ各々の壁２１が重なり合って形成される１つの壁５１には、第１筐体２４ａの壁２１の凹部５５と第２筐体２４ｂの壁２１の辺部とが重なり合って開口部が形成されることになる。この開口部が、液体パック２２のインクをインクジェット記録装置１に供給する供給口となる。なお、第２筐体２４ｂの底面部の壁２１の辺部にも凹部５５を形成し、第１筐体２４ａの壁２１の凹部５５と第２筐体２４ｂの壁２１の凹部５５とが重なり合って開口部（供給口）を形成してもよい。
【００３５】
詳細は後述するが、接続器具２５は、第１筐体２４ａおよび第２筐体２４ｂのいずれかの壁２１の辺部に嵌合される。この状態で、図２の（ｂ）に示すように、液体パック２２の液体供給口２３を接続器具２５に重ね合わせ、第１筐体２４ａと第２筐体２４ｂとを重ね合うことにより、図２の（ｃ）に示すように、凹部５５が液体パック２２を固定（保持）し、かつ、当該液体パック２２が接続器具２５に接続された状態で容器２０内に収容される。
【００３６】
（接続器具２５の構成）
続いて、接続器具２５の構成について説明する。図４の（ａ）は、接続器具２５の分解斜視図であり、（ｂ）は、接続器具２５を組み立てた状態を示す斜視図である。
【００３７】
図４の（ａ）に示すように、接続器具２５は、固定部材２６と弁部材２７とから構成されている。固定部材２６は、開口部を有しており、図４の（ｂ）に示すように、当該開口部に弁部材２７が嵌合することにより、当該弁部材２７を固定（保持）するように構成されている。
【００３８】
各部材についてより詳細に説明する。図５の（ａ）は、接続器具２５の上方斜視図であり、（ｂ）は、接続器具２５の下方斜視図である。
【００３９】
図５の（ａ）に示すように、固定部材２６は、２つの固定部２８ａ，２８ｂと、２つの固定部２８ａ，２８ｂを繋ぐ支持部２９とを有している。各固定部２８ａ，２８ｂは、端部が２つに折り畳まった形状を有している。支持部２９には、上記の開口部が形成されており、弁部材２７が嵌合している。また、支持部２９における固定部２８ａ，２８ｂとの接続部２９ａ，２９ｂは、弾性形状である。例えば、接続部２９ａ，２９ｂは、板バネ等で形成されている。なお、固定部材２６は、例えば、ステンレス鋼（ＳＵＳ）等によって形成することができる。
【００４０】
図５の（ａ）および（ｂ）に示すように、弁部材２７は、筒状構造の部材であり、筒状構造の底面が開閉可能に形成されている。図５では、筒状構造の底面に切込みを形成して４つの弁３１が形成されることにより、開閉可能となっている。筒状構造の底面とは、筒状構造の一端を塞ぐ面である。以下では、弁部材２７の筒状構造の底面を、単に弁部材２７の底面と称す。
【００４１】
弁部材２７は、筒状構造の側壁に第１爪部３０ａおよび第２爪部３０ｂを有している。第１爪部３０ａは、支持部２９の一方側に形成されており、第２爪部３０ｂは、支持部２９の他方側に形成され、第１爪部３０ａおよび第２爪部３０ｂは、互い違いになるように配置されている。これにより、弁部材２７が支持部２９の開口部から抜けることを防いでいる。なお、弁部材２７は、弾性体から形成されていることが好ましい。例えば、エチレン・プロピレンジエンゴム（ＥＰＤＭ）等のゴムで形成されていることが好ましい。
【００４２】
接続器具２５を第１筐体２４ａまたは第２筐体２４ｂの壁２１に固定した状態を図６に示す。図６の（ａ）は、壁２１に接続器具２５を固定した状態の上方斜視図であり、（ｂ）は、壁２１に接続器具２５を固定した状態の下方斜視図である。
【００４３】
図６の（ａ）および（ｂ）に示すように、各固定部２８ａ，２８ｂの折り畳まった端部の間に壁２１を挟むことにより、接続器具２５は壁２１の一部に固定される。この際、壁２１の凹部５５と弁部材２７との位置が一致するように、接続器具２５は壁２１の一部に固定されている。液体パック２２の液体供給口２３を弁部材２７の底面とは反対側の端部に重ね、第１筐体２４ａと第２筐体２４ｂとを重ね合うことにより、容器２０の供給口に弁部材２７を介して液体パック２２の液体供給口２３が配置されることになる。
【００４４】
（接続器具２５による接続方法）
図２の（ｃ）に示したように、液体パック２２が収容され、接続器具２５が固定された容器２０は、接続器具２５を介してインクジェット記録装置１のカートリッジ装着部４０と接続される。以下では、接続器具２５による接続方法について、図７を参照して説明する。図７の（ａ）〜（ｈ）は、容器２０をカートリッジ装着部４０に装着するまでの各工程を示す図である。
【００４５】
まず、容器２０をカートリッジ装着部４０の上に乗せる（図７の（ａ））。容器２０（第１筐体２４ａおよび第２筐体２４ｂ）の底面の端部と、カートリッジ装着部４０の上面の端部とには、互いに嵌合することにより水平方向にスライド可能に連結される嵌合部が形成されている。なお、容器２０の底面とは、カートリッジ装着部４０と接続される面であり、カートリッジ装着部４０の上面とは、容器２０と接続される面である。そこで、容器２０をカートリッジ装着部４０の上に乗せる際には、容器２０の底面の端部と、カートリッジ装着部４０の上面の端部との嵌合部を互いに嵌合させることにより、容器２０を水平方向にスライドさせていくことが可能になる（図７の（ｂ））。
【００４６】
カートリッジ装着部４０には、液体パック２２のインクをインクジェット記録装置１のインクジェットヘッド（図示せず）に供給するための挿入部材４２が設けられている。この挿入部材４２は、接続器具２５の弁部材２７を介して容器２０の供給部に挿通されることにより、液体パック２２の液体供給口２３に挿入される。
【００４７】
容器２０を水平方向にスライドさせていき、接続器具２５の弁部材２７と挿入部材４２とが対向する位置に到達すると、容器２０は鉛直下方向にスライドを開始する。具体的には、容器２０（第１筐体２４ａおよび第２筐体２４ｂ）の側面と、カートリッジ装着部４０の側面とには、互いに嵌合することにより鉛直方向にスライド可能にする嵌合部が形成されている。図７では、容器２０の側面には凸部５４ａと凸部５４ｂとが嵌合部として形成され、カートリッジ装着部４０の側面には凸部５４ａと嵌合する凹部４４ａと、凸部５４ｂと嵌合する凹部５４ｂとが嵌合部として形成されている。このように、互いに嵌合する嵌合部が設けられた容器２０およびカートリッジ装着部４０を用いて、本発明の接続器具２５を取り付けた容器２０と、カートリッジ装着部４０とを接続する接続方法も本発明の範疇である。
【００４８】
容器２０の側面およびカートリッジ装着部４０の側面に形成された嵌合部は、接続器具２５の弁部材２７と挿入部材４２とが対向する位置になったときに互いに嵌合する位置に形成されている。ここで、接続器具２５は、容器２０の第１筐体２４ａまたは第２筐体２４ｂの壁２１に固定されているため、容器２０に対する接続器具２５の弁部材２７の相対的な位置が特定される。そのため、接続器具２５の弁部材２７と挿入部材４２とが対向する位置は容易に特定される。
【００４９】
容器２０を水平方向にスライドさせていき、容器２０の側面およびカートリッジ装着部４０の側面に形成された嵌合部同士が嵌合する位置に到達すると、容器２０は鉛直方向にスライド可能になるため自重により鉛直下方向に下がる（図７の（ｃ））。ただし、カートリッジ装着部４０には、容器２０を下方から所定の位置で支える支持部材４１が設けられているため、容器２０の落下は支持部材４１によって所定の位置で食い止められる。
【００５０】
支持部材４１は、レバー４３を上げ下げすることにより、容器２０を支える位置が変動するように構成されている。支持部材４１のレバー４３が下がった状態（図７の（ｃ）の状態）からレバー４３を上げることにより、支持部材４１が容器２０を支える位置が鉛直下方向に下がる（図７の（ｄ））。これにより、容器２０は鉛直下方向にスライドしていき、カートリッジ装着部４０の挿入部材４２が弁部材２７を介して容器２０の供給口に挿入される。挿入部材４２が挿入される部分の拡大図を図８に示す。図８の（ａ）は、挿入部材４２を挿入する前の状態を示す断面図であり、図８の（ｂ）は、挿入部材４２を挿入した後の状態を示す断面図である。
【００５１】
接続器具２５の弁部材２７と挿入部材４２が対向する位置に容器２０が到達した状態が図８の（ａ）である。このとき、弁部材２７の底面の切込みは閉じ、弁３１は閉じた状態になっている。この状態で支持部材４１のレバー４３を上げて容器２０を鉛直下方向にスライドさせることにより、挿入部材４２は弁部材２７の底面（具体的には、底面の切込み）から挿入される。底面から挿入された挿入部材４２が、底面の弁３１を押し上げる（起伏させる）ことにより、底面の切込みが開き、弁３１は開いた状態になる。上述したように、弁部材２７の底面とは反対側の端部には、液体パック２２の液体供給口２３が重なっている。このため、弁部材２７の底面から挿入された挿入部材４２は、図８の（ｂ）に示すように、当該底面とは反対側の端部に重ねられた液体供給口２３に挿入されることになる。このようにして、接続器具２５によって容器２０とカートリッジ装着部４０とが接続され、液体パック２２のインクが挿入部材４２からインクジェットヘッドへと供給される。
【００５２】
（作用効果）
本実施形態に係る接続器具２５は、容器２０の第１筐体２４ａまたは第２筐体２４ｂの壁２１に固定されるため、容器２０に対する接続器具２５の弁部材２７の相対的な位置が特定される。容器２０およびカートリッジ装着部４０には、互いに嵌合する嵌合部が設けられており、当該嵌合部により、容器２０とカートリッジ装着部４０との位置合わせが正確に行われる。そのため、カートリッジ装着部４０と弁部材２７との相対的な位置を特定することができる。そこで、特定された位置に基づき、カートリッジ装着部４０の挿入部材４２を正確に弁部材２７に挿入することができる。挿入部材４２は、弁部材２７を介して液体パック２２に連通されることから、液体パック２２とカートリッジ装着部４０とを高い精度で接続可能となる。
【００５３】
ここで、接続器具２５は、容器２０に対して後付けが可能である。すなわち、本実施形態に係る接続器具２５は、既存の容器に対して固定することができる。そのため、接続器具２５を固定可能な容器を新たに製造する必要がないという利点も有する。
【００５４】
なお、容器２０の第１筐体２４ａおよび第２筐体２４ｂのいずれかによって接続器具２５が固定される。供給口は分離壁を合わせた面上に形成されることから、弁部材２７と供給口との位置決めを、供給口により近い位置で行なうことができる。よって、液体パック２２とカートリッジ装着部４０との接続を、より高い精度で行なうことができる。
【００５５】
また、弁部材２７と液体パック２２の液体供給口２３との間に隙間が生じている場合がある。この場合は、カートリッジ装着部４０の挿入部材４２が弁部材２７に挿入される際に、挿入部材４２が弁部材２７を液体供給口２３側に押し上げることにより、支持部２９の接続部２９ａ，２９ｂの弾性力を利用して弁部材２７と液体供給口２３とを密着させることができる。
【００５６】
以上より、本実施形態に係る容器２０は、以下の構成を有していると換言することができる。容器２０に液体パック２２を収納する一対の収納部材（第１筐体２４ａ，第２筐体２４ｂ）からなり、上記液体パック２２に設けられた供給口（液体供給口２３）に、流体の流路が形成された供給突起（挿入部材４２）を挿入して上記液体パック２２内の液体を外部に供給させる収納容器において、上記収納部材には、上記供給口を保持する供給口保持部（凹部５５）と、上記供給口を閉鎖するための弁体（接続器具２５）を保持する弁体保持部（壁２１）とを有し、上記弁体は、上記供給突起を上記供給口に挿入する際に、上記供給突起の上記供給口への挿入を許容可能に開口すると共に、上記供給突起を上記供給口から抜去する際に、上記供給口からの上記液体の流出を抑制可能に閉鎖し、上記弁体保持部は、上記一対の収納部材の接合部に上記弁体を挟持することにより固定している。
【００５７】
これにより、液体パック２２と供給突起とを高い精度で接続することができる。また、容器に供給突起を挿入する挿入口を直接設けると、容器の強度が弱くなってしまう。しかし、本実施形態に係る容器２０においては、弁体を保持する弁体保持部が形成されており、当該弁体保持部に保持された弁体を通って、供給突起が挿入されるため、収納容器は高い強度を保つことができる。
【００５８】
また、本実施形態に係る容器２０においては、上記供給口保持部と上記弁体保持部とは、上記供給口保持部を内側にして軸方向（供給突起が挿入される方向）に配設されており、上記供給突起は、上記軸方向から挿入されて、上記弁体および上記供給口を貫通することにより、当該供給口に挿入され、上記供給口保持部および上記弁体保持部は、上記一対の収納部材の上記接合部に設けられ、当該一対の収納部材が接合することにより、上記弁体保持部および上記供給口保持部それぞれに保持された上記弁体および上記供給口が位置決めされるとも言える。
【００５９】
これにより、弁体および供給口の位置決めの精度を良好にすることができるため、供給突起を供給口に挿入する際に干渉して（すなわち、弁体に接触して）挿入できないということを防止することができる。
【００６０】
なお、供給口保持部（凹部５５）と弁体保持部（壁２１）とは、図面に示すように水平方向（軸方向とは垂直な方向）に配設されていてもよい。
【００６１】
（弁部材２７の好適な構造例）
図９に、弁部材２７の好適な構造例を示す。図９に示すように、弁部材２７の底面に挿入部材４２を挿入したときに起伏する弁３１の高さＨが、筒状構造の深さＤよりも低いことが好ましい。これは、弁部材２７の底面に挿入部材を挿入したときに起伏する弁３１の高さＨが筒状構造の深さＤよりも高いと、起伏した弁３１の先端が、液体パック２２の液体供給口２３と挿入部材４２との間に挟まれてしまい、弁３１が破損してしまう虞があるためである。そこで、弁部材２７の底面に挿入部材４２を挿入したときに起伏する弁３１の高さＨが、筒状構造の深さＤよりも低くすることにより、弁３１の破損を防ぐことができる。
【００６２】
また、図９に示すように、弁部材２７の底面とは反対側の端縁部には、突起３２が形成されていることが好ましい。これは、弁部材２７の底面とは反対側の端縁部に突起３２を形成することにより、弁部材２７と液体パック２２の液体供給口２３との密着性を高めることができるためである。また、弁部材２７の端縁部に設けた突起３２は、曲面等の滑らかな表面を有していることが好ましい。これにより、弁部材２７が液体パック２２の液体供給口２３によって傷がつくことを防止することができる。
【００６３】
（インク漏れの予防）
作業上、インクジェット記録装置では液体パックにインクが貯留されている状態のまま、容器をカートリッジ装着部から取り外す場合がある。この場合は、液体パックのインクが容器の供給口から多量に漏れ出てしまうことが問題となっている。液体パックからのインク漏れは、作業者またはインクジェット装置にインクが付着することによる汚染、およびインクの浪費等に繋がる。
【００６４】
本実施形態に係るインクジェット記録装置１では、液体パック２２の液体供給口２３には接続器具２５が取り付けられているため、液体パック２２からのインク漏れが低減されている。これは、容器２０に挿入部材４２が挿入されている間は、弁部材２７の底面が開いた状態であるが、容器２０から挿入部材４２が抜かれると、弁部材２７の底面が閉じた状態となり、液体パック２２からのインク漏れが低減されるためである。
【００６５】
弁部材２７の底面は、開閉可能であればその形状に限定はないが、弁によって開閉可能になっていることが好ましい。弁部材２７の底面が弁を有している場合の形状例を図１０に示す。
【００６６】
例えば、図１０の（ａ）に示すように、弁部材２７の底面に一文字型の切込み３３を形成して２枚の弁３１を有した形状にしてもよい。または、図１０の（ｂ）に示すように、弁部材２７の底面に十文字型の切込み３３ａ，３３ｂを形成して４枚の弁３１を有した形状にしてもよい。
【００６７】
ここで、弁部材２７の底面から挿入された挿入部材４２が、底面の弁３１を押し上げる（起伏させる）ことにより、底面の弁３１は開いた状態になる。そのため、挿入部材４２を弁部材２７に挿入する際の応力により、各弁３１が開いた形状（すなわち、底面と反対側の端部側に折れ曲がった（起伏した）形状）に変形しやすくなる。この場合、弁部材２７の底面に隙間が生じるため、液体パック２２のインクが当該隙間から漏れ出てしまう可能性がある。
【００６８】
そこで、図１０の（ｃ）に示すように、弁部材の底面に十文字型の切込み３３ａ，３３ｂを形成し、さらに、切込み３３ａ，３３ｂによって開口する位置の外側（外周）にも切込み３４を形成することが好ましい。切込み３４を形成することにより、挿入部材４２を弁部材２７に挿入した際の各弁３１にかかる応力が小さくなる。そのため、挿入部材４２を弁部材２７から取り外した後に、弁部材２７が元の形状（各弁３１が閉じた形状）に戻りやすくなる。すなわち、挿入部材４２を弁部材２７に挿入する際の応力により各弁３１が開いた形状に変形してしまうことを防ぐことができる。結果、液体パック２２からのインク漏れをより低減することができる。
【００６９】
また、弁部材２７の底面は、内側（底面とは反対側の端部側）に隆起した凸形状を有していることが好ましい。これにより、液体パック２２からのインク漏れをより効果的に抑えることができる。
【００７０】
なお、弁部材２７の硬度は、４０〜６０度と低いことが好ましい。これは、弁部材２７の硬度が低い方が、弁３１の変形が小さくなるためである。また、弁３１の厚みは、０．４〜０．６ｍｍと薄いことが好ましい。これは、弁３１の厚みが薄い方が、弁部材２７の筒構造の底面に生じる隙間が時間が経つにつれて大きくなることを抑えることができるためである。
【００７１】
（まとめ）
本発明の一態様に係る収納容器（容器２０）は、内部に液体パック２２を収納する一対の収納部材（第１筐体２４ａ，第２筐体２４ｂ）からなり、上記液体パック２２に設けられた供給口（液体供給口２３）に、流体の流路が形成された供給突起（挿入部材４２）を挿入して上記液体パック２２内の液体を外部に供給させる収納容器において、上記収納部材には、上記供給口を保持する供給口保持部（凹部５５）と、上記供給口を閉鎖するための弁体（接続器具２５）を保持する弁体保持部（壁２１）とを有し、上記弁体は、上記供給突起を上記供給口に挿入する際に、上記供給突起の上記供給口への挿入を許容可能に開口すると共に、上記供給突起を上記供給口から抜去する際に、上記供給口からの上記液体の流出を抑制可能に閉鎖し、上記弁体保持部は、上記一対の収納部材の接合部に上記弁体を挟持することにより固定している。
【００７２】
上記の構成によれば、液体パックと供給突起とを高い精度で接続することができる。また、収納容器に供給突起を挿入する挿入口を直接設けると、収納容器の強度が弱くなってしまう。しかし、本発明に一態様に係る収納容器においては、弁体を保持する弁体保持部が形成されており、当該弁体保持部に保持された弁体を通って、供給突起が挿入されるため、収納容器は高い強度を保つことができる。
【００７３】
また、本発明の一態様に係る収納容器においては、上記供給口保持部と上記弁体保持部とは、上記供給口保持部を内側にして軸方向に配設されており、上記供給突起は、上記軸方向から挿入されて、上記弁体および上記供給口を貫通することにより、当該供給口に挿入され、上記供給口保持部および上記弁体保持部は、上記一対の収納部材の上記接合部に設けられ、当該一対の収納部材が接合することにより、上記弁体保持部および上記供給口保持部それぞれに保持された上記弁体および上記供給口が位置決めされる。
【００７４】
上記の構成によれば、弁体および供給口の位置決めの精度を良好にすることができるため、供給突起を供給口に挿入する際に干渉して（すなわち、弁体に接触して）挿入できないということを防止することができる。
【００７５】
本発明の一態様に係る接続器具２５は、液体が貯留された液体パック２２を収容するためのものであり、上記液体パック２２の上記液体を外部装置（インクジェット記録装置１）に供給する供給口が形成された壁５１を有する容器２０と、当該外部装置とを接続する接続器具２５であって、弁部材２７と、上記壁５１の一部に固定する固定部２８ａ，２８ｂと、を有する。
【００７６】
上記の構成によれば、接続器具２５が容器２０の壁５１に固定されるため、容器２０に対する接続器具２５の弁部材２７の相対的な位置が特定される。容器２０と外部装置との位置合わせを正確に行なえば、外部装置と弁部材２７との相対的な位置が特定される。外部装置の挿入部材４２は弁部材２７を介して液体パック２２に連通されることから、液体パック２２と外部装置とを高い精度で接続可能となる。
【００７７】
なお、接続器具２５は、容器２０に対して後付けが可能である。すなわち、本発明の一態様に係る接続器具２５は、既存の容器に対して固定することができる。そのため、接続器具２５を固定可能な容器を新たに製造する必要がないという利点も有する。
【００７８】
また、本発明の一態様に係る接続器具２５においては、上記壁５１は、少なくとも２つの分離壁（壁２１）からなり、上記２つの分離壁のうち、少なくとも一方は辺部に凹部５５を有しており、上記分離壁の辺部同士を合わせることで、上記凹部５５が上記供給口として形成されるものであり、上記固定部２８ａ，２８ｂは、上記２つの分離壁のうちいずれかの上記辺部に嵌合するものである。
【００７９】
上記の構成によれば、２つの分離壁のいずれかによって接続器具２５が固定される。供給口は分離壁を合わせた面上に形成されることから、弁部材２７と供給口との位置決めを、供給口により近い位置で行なうことができる。よって、液体パック２２と外部装置との接続を、より高い精度で行なうことができる。
【００８０】
また、本発明の一態様に係る接続器具２５においては、上記弁部材２７は弾性体から形成されている。
【００８１】
また、本発明の一態様に係る接続器具２５は、上記弁部材は、筒状構造を有しており、上記筒状構造の底面が開閉可能に形成されている。
【００８２】
上記の構成によれば、容器２０に挿入部材４２を挿入している間は、弁部材２７の底面を開いた状態にし、容器２０から挿入部材４２を挿入していない間は、弁部材２７の底面を閉じた状態とすることにより、容器２０から挿入部材４２を抜いたときに液体パック２２からのインク漏れを低減することができる。
【００８３】
また、本発明の一態様に係る接続器具２５においては、上記筒状構造の底面に切込みが形成されることで開閉可能となっている。
【００８４】
上記の構成によれば、容器２０に挿入部材４２が挿入されるときに弁部材２７の底面の切込みに挿入されることにより、切込みが開き、底面が開いた状態となり、当該切込みから挿入部材４２を抜くことにより、切込みが閉じ、底面が閉じた状態となる。
【００８５】
また、本発明の一態様に係る接続器具２５においては、開閉可能としている上記切込みによって開口する位置の外側にも切込みが形成されている。
【００８６】
上記の構成によれば、弁部材２７の底面において、開口する位置の外側にも切込みを形成することにより、挿入部材４２を弁部材２７に挿入した際の開口部分にかかる応力が小さくなる。そのため、挿入部材４２を弁部材２７から取り外した後に、弁部材２７の底面が元の形状（閉じた形状）に戻りやすくなる。すなわち、挿入部材４２を弁部材２７に挿入する際の応力により弁部材２７の底面が開いた形状に変形してしまうことを防ぐことができる。結果、液体パック２２からのインク漏れをより低減することができる。
【００８７】
また、本発明の一態様に係る接続器具２５においては、開閉可能としている上記切込みに、上記外部装置が備える、上記供給口に挿入するための挿入部材４２を挿入したときに起伏する上記弁部材２７の高さが、上記筒状構造の深さよりも低い。
【００８８】
弁部材２７の底面に挿入部材４２を挿入したときに起伏する部分の高さが筒状構造の深さよりも高いと、挿入部材４２を挿入した際に、起伏した部分の先端が破損してしまう虞がある。そこで、上記の構成によれば、弁部材２７の破損を防ぐことができる。
【００８９】
また、本発明の一態様に係る接続器具２５においては、上記弁部材２７は、弾性形状を有する支持部２９によって支持されており、上記支持部２９に上記固定部２８ａ，２８ｂが連結されている。
【００９０】
弁部材２７の底面とは反対側の端部に液体パック２２の液体供給口２３を配置するとき、弁部材２７と液体パック２２の液体供給口２３との間に隙間が生じている場合がある。しかし、上記の構成によれば、挿入部材４２が弁部材２７に挿入される際に、挿入部材４２が弁部材２７を液体供給口２３側に押し上げることにより、支持部２９の弾性力を利用して弁部材２７と液体供給口２３とを密着させることができる。
【００９１】
また、上記容器２０および上記外部装置には、互いに嵌合する嵌合部が設けられており、上述したいずれかの接続器具２５を取り付けた容器２０と、上記外部装置とを、接続する接続方法も本発明の範疇である。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００９３】
上述した実施形態に係る接続器具を用いて容器およびカートリッジ装着部を接続したときの液体パックからのインク漏れについて検証した。具体的には、弁部材の硬度、弁の厚み、および底面に形成する切り込みの本数（形状）が互いに異なる５つの弁部材について、インク漏れの検証を行った。
【００９４】
５つの弁部材各々の弁部材の硬度、弁の厚み、および底面に形成する切り込みの本数（形状）と、インク漏れの検証結果とを表１に示す。なお、表１に記載の「初期の漏れ量」とは、該当の弁部材を有する接続器具を用いて容器およびカートリッジ装着部を接続した当初のインクの漏れ量を意味し、「６ヶ月相当の漏れ量」とは、該当の弁部材を有する接続器具を用いて容器およびカートリッジ装着部を接続した状態で６ヶ月経過したときのインクの漏れ量を意味する。なお、５つの弁部材は、ＥＰＤＭ（エチレン・プロピレンジエンゴム）によって構成した。
【００９５】
【表１】
0006393541.tif 000002
【００９６】
弁部材ａおよび弁部材ｅの結果より、底面に形成する切込みの本数に応じて初期のインクの漏れ量が変動しないことが確認された。
【００９７】
また、弁部材ｂおよび弁部材ｄの結果より、弁部材の硬度は低い方が、インクの漏れ量が少ないことが分かった。さらに、弁部材ｂおよび弁部材ｃの結果より、初期の漏れ量は、弁の厚みが厚い弁部材ｃの方が少なかったが、６ヶ月相当の漏れ量は、弁の厚みが薄い弁部材ｂの方が少なかった。これは、弁部材ｃは、使用期間が経過するにつれて、弁が開いた形状に変形してしまうためと考えられる。これより、弁部材を長期的に使用することを考えると、弁の厚みは薄い方がインクの漏れ量が少ないことが分かった。
【００９８】
以上より、硬度が低く、弁の厚みが薄い弁部材を用いることが好ましいことが分かった。特に、弁部材ｅの条件において、最もインクの漏れ量が少なかったことから、硬度が低く、弁の厚みが薄い弁部材であって、弁部材の底面に十文字型の切込みを形成し、さらに、当該切込みによって開口する位置の外側にも切込みを形成した弁部材を用いることが好ましいことが分かった。
【産業上の利用可能性】
【００９９】
本発明は、インクを貯留した液体パックとインクジェット記録装置のカートリッジ装着部との接続する場合に好適に利用することができる。
【符号の説明】
【０１００】
１  インクジェット記録装置
１０  インクカートリッジ
２０  容器
２２  液体パック
２３  液体供給口
２４ａ  第１筐体
２４ｂ  第２筐体
２５  接続器具
２６  固定部材
２７  弁部材
２８ａ，２８ｂ  固定部
２９  支持部
２９ａ，２９ｂ  接続部
３０ａ  第１爪部
３０ｂ  第２爪部
３１  弁
３２  突起
４０  カートリッジ装着部
４１  支持部材
４２  挿入部材
４３  レバー
５０  ヒンジ部
５５  凹部
【図１】
0006393541.tif 000003
【図２】
0006393541.tif 000004
【図３】
0006393541.tif 000005
【図４】
0006393541.tif 000006
【図５】
0006393541.tif 000007
【図６】
0006393541.tif 000008
【図７】
0006393541.tif 000009
【図８】
0006393541.tif 000010
【図９】
0006393541.tif 000011
【図１０】
0006393541.tif 000012